(57)【要約】【課題】ＲＦＩＤタグの再利用が可能な印刷用紙を提供する。【解決手段】印刷用紙３００は、シート状のＲＦＩＤタグ３１０を貼付した台紙３２０と、該台紙３２０に覆い被せるように接着したシート３３０を備える。台紙３２０はＲＦＩＤタグ３１０の貼付面を印刷用紙３００に接するように配置する。台紙３２０の裏面は接着剤に対する剥離性が高くなるよう加工してある。台紙３２０は縦横寸法がＲＦＩＤタグ３１０と同じ又は大きく形成されている。シート３３０は、縦横寸法が台紙３２０より大きく形成されており、また印刷用紙３００側の面には接着剤層が形成されている。【選択図】  図８
2010125758.tif 000002
【特許請求の範囲】
【請求項１】
印刷装置で印刷して使用される印刷用紙であって、
該印刷用紙を特定する識別子が記憶されたシート状のＲＦＩＤタグと、
ＲＦＩＤタグを包含可能な寸法を有し且つ裏面が接着剤に対して高い剥離性を有するよう加工された台紙と、
台紙を包含可能な寸法を有し且つ一方の面に接着剤層が形成されたシートとを備え、
前記台紙の表面に前記ＲＦＩＤタグを貼り合わせ、
ＲＦＩＤタグが貼付された台紙をＲＦＩＤタグが印刷用紙と接するように配置した状態で台紙とともに前記シートを印刷用紙に接着した
ことを特徴とする印刷用紙。
【請求項２】
前記印刷用紙のＲＦＩＤタグ貼付面には台紙及びシートの配置位置をガイドする印を予め印刷しておく
ことを特徴とする請求項１記載の印刷用紙。
【請求項３】
印刷装置で印刷して使用される印刷用紙であって、
該印刷用紙は袋状構造を有するとともに、袋状の印刷用紙内に挿入されたシートと、該シートに貼り付けられ印刷用紙を特定する識別子が記憶されたシート状のＲＦＩＤタグとを備えた
ことを特徴とする印刷用紙。
【請求項４】
前記印刷用紙は印刷後に他の用紙とステープラにより綴られて使用され、
前記シートはステープルの打ち込み位置を含む領域に配置されない形状に形成されている
ことを特徴とする請求項３記載の印刷用紙。
【請求項５】
前記印刷用紙はステープルの打ち込み位置の反対側の縁部において該縁部の一部領域を他の領域と区画するミシン目が形成された
ことを特徴とする請求項４記載の印刷用紙。
【請求項６】
印刷装置で印刷して使用される印刷用紙であって、
該印刷用紙を特定する識別子が記憶された矩形シート状のＲＦＩＤタグを備えるとともに、該ＲＦＩＤタグの少なくとも対向する２隅を印刷用紙に形成した切れ目に差し込むことによりＲＦＩＤタグを保持した
ことを特徴とする印刷用紙。
【発明の詳細な説明】
【技術分野】
【０００１】
本発明は、プリンタで印刷して使用される印刷用紙であってＲＦＩＤタグを備えたものに関する。
【背景技術】
【０００２】
近年、データを非接触で読取可能なＲＦＩＤタグが普及してきている。ＲＦＩＤタグの利用分野としては物流の分野などの他、文書管理にも用いられている（例えば特許文献１参照）。特許文献１に記載の文書管理システムは、印刷文書にＲＦＩＤタグを貼付し、入出力端末においてＲＦＩＤタグに格納されたＩＤ情報を読み取るとともに文書管理サーバに種々の印刷文書情報を登録するよう構成されている。
【０００３】
しかし、この文書管理システムでは既に印刷された文書を管理対象としているので、文書の印刷後にＲＦＩＤタグの貼付作業及び上述の登録作業が必要であるため利便性が悪いという問題がある。
【０００４】
そこで、印刷用紙に予めＲＦＩＤタグを貼付するとともに、プリンタなどの印刷装置にＲＦＩＤタグの読取装置を設け、印刷処理と同時にＲＦＩＤタグを読み取ることにより、印刷文書とＲＦＩＤタグの固有識別子との紐付けを同時に行うことが提案されている。特許文献２にはこのような用途に使用可能なプリンタが記載されている。
【特許文献１】特開２００８−２６２３７９号公報
【特許文献２】特開２００６−１３３９６６号公報
【発明の開示】
【発明が解決しようとする課題】
【０００５】
ところで上記のＲＦＩＤタグは未だ高価であるため再利用したいという要望があった。例えば上述のプリンタを用いる場合には、印刷内容の間違いや印刷時における紙詰まりなどのトラブルが生じると当該印刷用紙は以降使えないので、ＲＦＩＤタグが無駄になってしまう。また、文書によっては適当な期限で文書管理が不要になることもあり、その場合にもＲＦＩＤタグが無駄になってしまう。ところが、現状流通している多くのＲＦＩＤタグは再利用が困難であるという問題があった。すなわち、上記のように紙に貼付可能なＲＦＩＤタグとしては、現在はシール状に形成されたものが多い。該ＲＦＩＤタグは、シート上の用紙にＩＣチップ及びアンテナが埋め込まれており、またシートの一方の面には接着材が塗布されている。ＲＦＩＤタグは該シートの接着材により印刷用紙に貼り付けられる。このため印刷用紙からＲＦＩＤタグを剥がそうとしても、印刷文書やＲＦＩＤを綺麗に剥離することが困難であり、印刷文書やＲＦＩＤタグを破損するおそれもある。さらに印刷文書やＲＦＩＤタグを破損せずに剥離したとしても、接着力が著しく低下してしまうのでＲＦＩＤタグの再利用が困難であった。
【０００６】
本発明は、上記事情に鑑みてなされたものであり、その目的とするところは、ＲＦＩＤタグの再利用が可能な印刷用紙を提供することにある。
【課題を解決するための手段】
【０００７】
上記目的を達成するために、本願発明は、印刷装置で印刷して使用される印刷用紙であって、該印刷用紙は袋状構造を有するとともに、袋状の印刷用紙内に挿入されたシートと、該シートに貼り付けられ印刷用紙を特定する識別子が記憶されたシート状のＲＦＩＤタグとを備えたことを特徴とする。
【０００８】
本発明によれば、印刷用紙自体が袋状となっており、該袋の内部にシートに貼り付けられたＲＦＩＤタグが収容されているので、袋を開封することにより容易にＲＦＩＤタグを回収することができる。
【０００９】
また、上記印刷用紙として、前記印刷用紙は印刷後に他の用紙とステープラにより綴られて使用される場合、前記シートをステープルの打ち込み位置を含む領域に配置されない形状に形成すると、シートを容易に取り出すことができるので好適である。さらに、該印刷用紙に、ステープルの打ち込み位置の反対側の縁部において該縁部の一部領域を他の領域と区画するミシン目を形成すると、該一部領域を切り取ることでシートを容易に取り出すことができるので好適である。
【００１０】
また、本願発明は、印刷装置で印刷して使用される印刷用紙であって、該印刷用紙を特定する識別子が記憶された矩形シート状のＲＦＩＤタグを備えるとともに、該ＲＦＩＤタグの少なくとも対向する２隅を印刷用紙に形成した切れ目に差し込むことによりＲＦＩＤタグを保持したことを特徴とする。
【００１１】
本発明によれば、ＲＦＩＤタグの角部において印刷用紙の切れ目と係合することにより印刷用紙にＲＦＩＤタグを保持させている。すなわち、ＲＦＩＤタグを印刷用紙に接着していないので、ＲＦＩＤタグを容易に回収することができる。
【００１２】
また、本願発明は、印刷装置で印刷して使用される印刷用紙であって、該印刷用紙を特定する識別子が記憶されたシート状のＲＦＩＤタグと、ＲＦＩＤタグを包含可能な寸法を有し且つ裏面が接着剤に対して高い剥離性を有するよう加工された台紙と、台紙を包含可能な寸法を有し且つ一方の面に接着剤層が形成されたシートとを備え、前記台紙の表面に前記ＲＦＩＤタグを貼り合わせ、ＲＦＩＤタグが貼付された台紙をＲＦＩＤタグが印刷用紙と接するように配置した状態で台紙とともに前記シートを印刷用紙に接着したことを特徴とする。
【００１３】
本発明によれば、前記シートの接着剤層とＲＦＩＤタグとの間には台紙が介在しており、且つ、該台座のシート側の面は接着剤に対して高い剥離性を有しているので、台紙及びＲＦＩＤタグを損傷させることなくシートを剥離させることができる。したがって、ＲＦＩＤタグを容易に回収できる。なお、ＲＦＩＤタグは台紙に貼った状態で再利用される。
【発明の効果】
【００１４】
以上説明したように本発明によれば、ＲＦＩＤタグを容易に回収できるので、文書管理システムを低コストで運営することができる。
【発明を実施するための最良の形態】
【００１５】
（第１の実施の形態）
本発明の第１の実施の形態に係る印刷用紙について図面を参照して説明する。図１は印刷用紙の構成を説明する分解斜視図、図２は印刷用紙の使用形態を説明する図、図３は印刷用紙の正面図である。
【００１６】
本実施の形態に係る印刷用紙は、（ａ）レーザプリンタやインクジェットプリンタなどの印刷装置で印刷される、（ｂ）印刷装置に備えられた読取装置でＲＦＩＤタグの読み取りが行われる、（ｃ）印刷時にＲＦＩＤタグから固有識別子を読み取ることにより印刷内容とＲＦＩＤタグの固有識別子とを紐付けしてコンピュータに登録する、という用途で用いられることを考慮している。例えば、大学の実験レポート管理システムでの利用が挙げられる。該実験レポート管理システムにおけるレポートを図２に示す。実験レポート管理システムでは、実験に先立って学生に所定事項が印刷されたレポート表紙１０を配布する。学生は作成したレポート本体２０に前述の表紙を重ね合わせた後にステープル３０で綴り、これを大学に提出する。前記レポート表紙１０への印刷時にはレポートＩＤや学籍番号・実験名称等の必要事項を印刷用紙に印刷し、該印刷時において印刷用紙からＲＦＩＤタグの固有識別子を読み取り、前記レポートＩＤに紐付けてコンピュータに登録する。本実施の形態に係る印刷用紙１００は、レポート表紙１００として用いられるものとする。
【００１７】
図１を参照して印刷用紙１００の構成について詳述する。図１に示すように、印刷用紙１００は、袋状構造の印刷用紙本体１１０と、該印刷用紙本体１１０内に挿入されたシート１２０と、該シート１２０に貼り付けられたシート状のＲＦＩＤタグ１３０とを備えている。印刷用紙本体１１０としては市販の紙製の封筒を用いた。したがって、印刷用紙本体１１０は、袋の開口部に蓋部１１１を備えており、前記ＲＦＩＤタグ１３０付のシート１２０を収納した後には蓋部１１１を印刷用紙本体１１０に折り返され糊付けして封止される。
【００１８】
前記シート１２０は、印刷用紙本体１１０内においてＲＦＩＤタグ１３０の位置が動くことを防止するためであり、したがって印刷用紙本体１１０の内側寸法よりやや小さい略矩形のものが好ましい。シート１２０の素材としては種々のものを用いることができるが、印刷装置で印刷されることを考慮して柔軟性を有し且つ耐久性を維持できる範囲内で薄いものが好ましい。また、図３に示すように、シート１２０の縁部であってステープル３０が打ち込まれる領域には配置されないよう引き込み部１２１が形成されている。これにより、図２に示すように印刷用紙にステープル３０が打ち込まれた場合であっても、蓋部１１１を開けるだけで収容されているＲＦＩＤタグ１３０付のシート１２０を損傷させることなく取り出せる。
【００１９】
ＲＦＩＤタグ１３０は、ＩＣチップ及びアンテナが埋め込まれたシート状のものであり、一方の面には接着材が塗布されたシール状のものを用いた。ＲＦＩＤタグは該シートの接着材によりシート１２０に貼り付けられる。ここで、シート１２０におけるＲＦＩＤタグ１３０の貼付位置は、印刷装置に付設された読取装置や他の読取装置において読み取りやすい位置にすると好適である。また、例えば読取装置において複数枚の印刷用紙１００を一度に読み取る場合には、各印刷用紙１００でＲＦＩＤタグ１３０の位置を互いにずらすように貼り付けると好適な場合もある。
【００２０】
このような印刷用紙１００によれば、印刷用紙本体１１０の蓋部１１１を開封すれば、ＲＦＩＤタグ１３０付シート１２０を損傷なく容易に回収することができる。回収したＲＦＩＤタグ１３０付シート１２０はそのまま他の印刷用紙用に再利用することができる。特に、本実施の形態では、ステープル３０の打ち込み位置にはシート１２０が配置されていないので、印刷用紙１００が他の用紙とステープラにより綴られた場合であってもシート１２０を損傷なく容易に回収することができる。
【００２１】
本実施の形態に係る印刷用紙の変形例について図４を参照して説明する。図４は他の例に係る印刷用紙の正面図である。図４に示すように、該印刷用紙は、印刷用紙本体１１０の一方の縁部に該縁部の一部領域を他の領域と区画するようにミシン目１１２が形成されている。図４では区画領域１１３が半円状となるようにミシン目１１２を形成した。ここで該区画領域１１３には印刷用紙本体１１０の内側にはシート１２０の一部が配置されるようにする。また、該区画領域１１３はステープル３０の打ち込み位置とは反対側に形成する。このような印刷用紙１００では、図５に示すように、区画領域１１３を表面及び裏面から指で挟みながら該区画領域１１３を切り離すことにより、該区画領域１１３とともにシート１２０を印刷用紙本体１１０の内側から引き出せる。したがって、蓋部１１１を開封する必要がなくなるので利便性が向上する。
【００２２】
（第２の実施の形態）
本発明の第２の実施の形態に係る印刷用紙について図６を参照して説明する。図６は印刷用紙の正面図である。本実施の形態に係る印刷用紙の使用用途等は第１の実施の形態と同じである。
【００２３】
図６に示すように、ＲＦＩＤタグ２１０は矩形のシート状に形成されている。本実施の形態では、市販のシール状のＲＦＩＤタグをシール台紙から剥がすことなく所定寸法の矩形に切り取って用いた。印刷用紙２００には、ＲＦＩＤタグ２１０の保持位置に複数の切れ目２０１が形成されている。各切れ目２０１は、ＲＦＩＤタグ２１０の四隅の角部が挿入されるよう、ＲＦＩＤタグ２１０の隣り合う辺を斜めに横切るように直線状に形成されている。
【００２４】
このような印刷用紙２００によれば、ＲＦＩＤタグ２１０を接着していないので容易にＲＦＩＤタグ２１０を回収することができる。なお、印刷用紙２００に形成する切れ目２０１は、少なくとも対向する２隅を保持するように２つ形成すればよい。また、切れ目２０１の形成位置は、印刷装置に付設された読取装置や他の読取装置において読み取りやすい位置にすると好適である。また、例えば読取装置において複数枚の印刷用紙２００を一度に読み取る場合には、各印刷用紙２００でＲＦＩＤタグ２１０の位置を互いにずらすように貼り付けると好適な場合もある。
【００２５】
（第３の実施の形態）
本発明の第３の実施の形態に係る印刷用紙について図７及び図８を参照して説明する。図７は印刷用紙の構成を説明する分解斜視図、図８は図７のＡ線断面図である。本実施の形態に係る印刷用紙の使用用途等は第１の実施の形態と同じである。
【００２６】
図７及び図８に示すように、印刷用紙３００は、矩形シール状のＲＦＩＤタグ３１０と、該ＲＦＩＤタグ３１０を貼り付けた台紙３２０と、ＲＦＩＤタグ３１０付の台紙３２０を印刷用紙３００に貼り付けるためのシート３３０とを備えている。ＲＦＩＤタグ３１０は、ＩＣチップ及びアンテナが埋め込まれた矩形のシート状のものであり、一方の面には接着材層３１１が形成されたシール状のものを用いた。台紙３２０は、ＲＦＩＤタグ３１０より縦横寸法が同一又は大きく形成されている。また、台紙３２０は、ＲＦＩＤタグ３１０の貼付面３２１は通常の表面加工であるが、ＲＦＩＤタグ３１０の貼付面の裏面３２２は接着剤に対して高い剥離性を有するよう表面加工されている。シート３３０は、台紙３２０より縦横寸法が大きく、印刷用紙３００側の面３３１には接着剤層３３２が形成されたシール状のものを用いた。
【００２７】
また、印刷用紙３００には、ＲＦＩＤタグ３１０付の台紙３２０の位置をガイドする印３０１が予め印刷されている。該印３０１は台紙３２０の少なくとも２つの角部の位置に印刷されている。また、印刷用紙３００には、シート３３０の位置をガイドする印３０２が予め印刷されている。該印３０２はシート３３０の少なくとも２つの角部の位置に印刷されている。ここで、各印３０１及び３０２の形成位置、すなわちＲＦＩＤタグ３１０の貼付位置は、印刷装置に付設された読取装置や他の読取装置において読み取りやすい位置にすると好適である。また、例えば読取装置において複数枚の印刷用紙３００を一度に読み取る場合には、各印刷用紙３００でＲＦＩＤタグ３１０の位置を互いにずらすように貼り付けると好適な場合もある。
【００２８】
この印刷用紙３００を作成する手順を以下に説明する。まず、シール状のＲＦＩＤタグ３１０を台紙３２０の貼付面３２１に貼り付ける。次に、該台紙３２０を貼付面３２１が印刷用紙３００に接するように印刷用紙３００上に配置する。ここで台紙３２０を配置する際には印３０１の位置に合わせる。次に、台紙３２０の上から覆い被せるようにしてシート３３０を印刷用紙３００に貼り付ける。ここでシート３３０を配置する際には印３０１の位置に合わせる。
【００２９】
このような印刷用紙３００によれば、シート３３０を印刷用紙３００から剥離させた際に、台紙３２０とシート３３０とを接着を綺麗に剥離させることができる。したがって、ＲＦＩＤタグ３１０及び台紙３２０を破損させることなく容易に回収できる。なお、ＲＦＩＤタグ３１０は台紙３２０に貼付された状態で再利用される。
【００３０】
本実施の形態に係る印刷用紙の変形例について図９を参照して説明する。該印刷用紙ではシート３３０に予め切れ目３３１を形成しておく。該切れ目３３１は弧を描いており、少なくとも弧の一部或いは全部が台紙３２０と重なるような位置及び形状に形成されている。このような印刷用紙３００では、切れ目３３１周辺が山となるように印刷用紙３００を折り曲げることにより、切れ目３３１の中央部付近から容易にシート３３０を剥離することができるので好適である。
【図面の簡単な説明】
【００３１】
【図１】第１の実施の形態に係る印刷用紙の分解斜視図
【図２】第１の実施の形態に係る印刷用紙の使用形態を説明する図
【図３】第１の実施の形態に係る印刷用紙の正面図
【図４】第１の実施の形態に係る印刷用紙の変形例を説明する図
【図５】第１の実施の形態に係る印刷用紙の変形例を説明する図
【図６】第２の実施の形態に係る印刷用紙の分解正面図
【図７】第３の実施の形態に係る印刷用紙の分解正面図
【図８】第３の実施の形態に係る印刷用紙の図７におけるＡ線断面図
【図９】第３の実施の形態に係る印刷用紙の変形例を説明する図
【符号の説明】
【００３２】
１０…レポート表紙、２０…レポート本体、３０…ステープル、１００，２００，３００…印刷用紙、１１０…印刷用紙本体、１２０…シート、１３０…ＲＦＩＤタグ、２０１…切れ目、２１０…ＲＦＩＤタグ、３１０…ＲＦＩＤタグ、３２０…台紙、３３０…シート
【図１】
2010125758.tif 000003
【図２】
2010125758.tif 000004
【図３】
2010125758.tif 000005
【図４】
2010125758.tif 000006
【図５】
2010125758.tif 000007
【図６】
2010125758.tif 000008
【図７】
2010125758.tif 000009
【図８】
2010125758.tif 000010
【図９】
2010125758.tif 000011